【手続補正書】
【提出日】平成25年7月22日(2013.7.22)
【手続補正１】
【補正対象書類名】特許請求の範囲
【補正対象項目名】全文
【補正方法】変更
【補正の内容】
【特許請求の範囲】
【請求項１】
第１の家電機器と、前記第１の家電機器と無線通信を行う第２の家電機器と、を備える家電機器システムであって、
前記第２の家電機器は、
無線通信を行うために通信相手を登録する無線設定処理の開始を指示する入力を受け付ける入力部と、
前記入力部が無線設定処理の開始を指示する入力を受け付けた場合、無線設定処理の開始を要求する無線設定要求を送信し、前記第１の家電機器に関する無線設定処理を実施する送信側無線設定部と、
を備え、
前記第１の家電機器は、
電源投入後に無線設定要求を受け付ける無線設定モードへ移行し、無線設定モードでは前記第２の家電機器から無線設定要求を受信すると前記第２の家電機器に関する無線設定処理を実施し、前記第２の家電機器を通信相手として登録した後は無線設定モードを終了する受信側無線設定部、
を備える、
ことを特徴とする家電機器システム。
【請求項２】
前記受信側無線設定部は、無線設定モードへ移行してから一定時間が経過しても無線設定要求を受信しない場合は、無線設定モードを終了する、ことを特徴とする請求項１に記載の家電機器システム。
【請求項３】
前記受信側無線設定部は、前記第２の家電機器から無線設定要求を受信すると当該無線設定要求に対する応答を前記第２の家電機器へ送信し、
前記送信側無線設定部は、前記第１の家電機器へ送信した無線設定要求に対する応答を受信した後に前記第１の家電機器に関する無線設定処理を実施する、ことを特徴とする請求項１または２に記載の家電機器システム。
【請求項４】
前記送信側無線設定部は、前記入力部が前記無線設定処理の開始を指示する入力を受け付けてから一定時間が経過しても無線設定要求に対する応答を受信しない場合は、無線設定処理を中止する、ことを特徴とする請求項３に記載の家電機器システム。
【請求項５】
前記送信側無線設定部は、前記無線設定要求を送信してから所定の再送周期時間が経過しても無線設定要求に対する応答を受信しない場合、前記無線設定要求を再送する、  ことを特徴とする請求項３または４に記載の家電機器システム。
【請求項６】
前記送信側無線設定部は、前記第１の家電機器に関する無線設定処理を実施した場合、無線設定の完了を通知する無線設定完了通知を前記第１の家電機器へ送信し、
前記受信側無線設定部は、前記第２の家電機器から無線設定完了通知を受信した後に前記第２の家電機器に関する無線設定処理を実施する、ことを特徴とする請求項３、４または５に記載の家電機器システム。
【請求項７】
前記受信側無線設定部は、無線設定要求に対する応答を送信してから所定の再送周期時間が経過しても無線設定完了通知を受信しない場合は、当該応答を再送する、
ことを特徴とする請求項６に記載の家電機器システム。
【請求項８】
前記受信側無線設定部は、複数の前記第２の家電機器から無線設定要求を受信した場合には、前記第２の家電機器との無線設定処理を中止する、ことを特徴とする請求項１〜７のいずれか１つに記載の家電機器システム。
【請求項９】
前記送信側無線設定部は、複数の前記第１の家電機器から無線設定要求を受信した場合には、前記第１の家電機器との無線設定処理を中止する、ことを特徴とする請求項１〜８のいずれか１つに記載の家電機器システム。
【請求項１０】
電源を共有する前記第１の家電機器を複数備え、
無線設定モードとなる時間帯が前記第１の家電機器間で互いに異なる、ことを特徴とする請求項１〜９のいずれか１つに記載の家電機器システム。
【請求項１１】
電源を共有する複数の前記第１の家電機器と接続する１台の第３の家電機器、
をさらに備え、
前記第１の家電機器は、前記第３の家電機器と接続される前記第３の家電機器内の接続位置に基づいて無線設定モードとなる時間帯を互いに異なるように設定される、
ことを特徴とする請求項１０に記載の家電機器システム。
【請求項１２】
電源を共有する複数の前記第１の家電機器と有線通信を行う１台の第３の家電機器、
をさらに備え、
前記第１の家電機器は、前記第３の家電機器と接続される前記第３の家電機器内の通信ポートの位置に基づいて無線設定モードとなる時間帯を互いに異なるように設定される、
ことを特徴とする請求項１０に記載の家電機器システム。
【請求項１３】
電源を共有する複数の前記第１の家電機器と有線通信を行う１台の第３の家電機器、
をさらに備え、
前記第１の家電機器は、前記第３の家電機器との通信により自身が無線設定モードへ移行する時間を決定する、
ことを特徴とする請求項１０に記載の家電機器システム。
【請求項１４】
無線設定モードとなる時間帯が前記第１の家電機器間で互いに異なるように、電源が投入される時間を前記第１の家電機器毎に決定する、ことを特徴とする請求項１０に記載の家電機器システム。
【請求項１５】
前記第１の家電機器は、電源投入後にランダムが経過した後に無線設定モードへ移行するとともに、自身が無線設定モードであることを通知するモード通知を他の第１の家電機器へ送信し、他の第１の家電機器からモード通知を受信した場合は一定期間の間無線設定モードへ移行しない、ことを特徴とする請求項１０に記載の家電機器システム。
【請求項１６】
前記第２の家電機器として、複数の前記第１の家電機器を通信相手として登録できる多機能機器を含む場合に、
前記多機能機器の前記送信側無線設定部は、無線設定要求をブロードキャストにより送信する、
ことを特徴とする請求項１〜１５のいずれか１つに記載の家電機器システム。
【請求項１７】
前記第２の家電機器として、１対１通信を行う限定機能機器を含む場合に、
前記限定機能機器の前記送信側無線設定部は、通信相手として登録した前記第１の家電機器のみとの通信を許可し、他の前記第１の家電機器と新たに無線設定処理を行った場合には、無線設定処理に関する情報を上書きする、ことを特徴とする請求項１〜１６のいずれか１つに記載の家電機器システム。
【請求項１８】
前記受信側無線設定部は、自身が通信相手として登録している前記第２の家電機器から他の前記第１の家電機器宛ての無線信号を受信した場合に、当該第２の家電機器の登録を解除する、ことを特徴とする請求項１７に記載の家電機器システム。
【請求項１９】
前記第２の家電機器として、限定機能機器と多機能機器と含み、
前記限定機能機器と前記多機能機器とを識別する種類を規定し、
前記受信側無線設定部は、前記第２の家電機器を登録する際に当該第２の家電機器に対応する種類を取得して保持し、前記第２の家電機器の種類が限定機能機器である場合に、自身が通信相手として登録している前記第２の家電機器から他の前記第１の家電機器宛ての無線信号を受信した場合に、当該第２の家電機器の登録を解除する、ことを特徴とする請求項１８に記載の家電機器システム。
【請求項２０】
前記第１の家電機器として、前記限定機能機器と無線通信を行う機器と前記多機能機器と無線通信を行う機器とを含む場合、
前記多機能機器と無線通信を行う機器の前記受信側無線設定部は、前記第２の家電機器の種類が限定機能機器である場合、当該第２の家電機器の無線設定処理を実施しない、ことを特徴とする請求項１９に記載の家電機器システム。
【請求項２１】
前記入力部は、無線設定の解除を指示する入力を受け付け、
前記送信側無線設定部は、前記入力部が無線設定の解除を指示する入力を受け付けた場合、通信相手として登録済みの前記第１の家電機器の登録を解除し、前記第１の家電機器へ無線設定の解除を通知する解除通知を送信し、
前記受信側無線設定部は、前記解除通知を受信すると、送信元の前記第２の家電機器の通信相手としての登録を解除する、
ことを特徴とする請求項１〜２０のいずれか１つに記載の家電機器システム。
【請求項２２】
前記受信側無線設定部は、電源が投入されてから所定の時間内に電源が再投入された場合に、通信相手として登録済みの前記第２の家電機器の登録を解除し、前記第２の家電機器へ無線設定の解除を通知する解除通知を送信し、
前記送信側無線設定部は、前記解除通知を受信すると、送信元の前記第１の家電機器の通信相手としての登録を解除する、
ことを特徴とする請求項１〜２０のいずれか１つに記載の家電機器システム。
【請求項２３】
前記受信側無線設定部は、前記解除通知を、前記再投入の後に前記第２の家電機器から無線アクセスがあった場合に送信する、
ことを特徴とする請求項２２に記載の家電機器システム。
【請求項２４】
前記第１の家電機器は、自身が無線設定モードであることをＬＥＤまたはブザーを用いて外部へ通知する、ことを特徴とする請求項１〜２３のいずれか１つに記載の家電機器システム。
【請求項２５】
第１の家電機器と、前記第１の家電機器と無線通信を行う第２の家電機器と、を備える家電機器システムにおける無線設定方法であって、
前記第２の家電機器が、無線通信を行うために通信相手を登録する無線設定処理の開始を指示する入力を受け付ける入力ステップと、
前記第２の家電機器が、無線設定処理の開始を指示する入力を受け付けた場合、無線設定処理の開始を要求する無線設定要求を送信し、前記第１の家電機器に関する無線設定処理を実施する送信側無線設定ステップと、
前記第１の家電機器が、電源投入後に無線設定要求を受け付ける無線設定モードへ移行し、無線設定モードでは前記第２の家電機器から無線設定要求を受信すると前記第２の家電機器に関する無線設定処理を実施し、前記第２の家電機器を通信相手として登録した後は無線設定モードを終了する受信側無線設定処理ステップと、
を含む、ことを特徴とする無線設定方法。